(57)【要約】【課題】  装置に付着した導電性を有する液滴を通じての作業者への高電位の伝導を防止するようにする。【解決手段】  本発明の静電噴霧装置は、手持ち支持されるグリップ部４と、該グリップ部４に長さ方向の一端側が支持された噴管１１と、該噴管１１の長さ方向の他端側に取り付けられた噴霧部２１とを備え、高電圧により帯電させた液滴Ｄを噴霧部２１から噴霧するように構成されている。そして、噴管１１は、その長さ方向の途中部に、全周に渡る環状凹部１９が設けられている。【選択図】      図１
2005193225.tif 000002
【特許請求の範囲】
【請求項１】
手持ち支持又は機体支持される基部と、該基部に長さ方向の一端側が支持された支持部と、該支持部の長さ方向の他端側に取り付けられた噴霧部とを備え、高電圧により帯電させた液滴を前記噴霧部から噴霧するように構成された静電噴霧装置であって、
前記支持部は、その長さ方向の途中部に、全周に渡る環状凹部が設けられた静電噴霧装置。
【請求項２】
前記環状凹部は、その奥行きが前記支持部の長さ方向へ延びている請求項１記載の静電噴霧装置。
【請求項３】
前記環状凹部は、その開口部が前記支持部の長さ方向へ開口しており、
前記支持部は、前記開口部に対峙し、該開口部の開口を狭める鍔部を備えた請求項１又は２記載の静電噴霧装置。
【請求項４】
前記基部は、手持ち支持されるものであり、
前記支持部は、それを補助的に手持ち支持するための補助グリップ部を備え、該補助グリップ部における前記噴霧部側に前記環状凹部が形成された請求項１〜３のいずれか一項に記載の静電噴霧装置。
【請求項５】
手持ち支持又は機体支持される基部と、該基部に長さ方向の一端側が支持された支持部と、該支持部の長さ方向の他端側に取り付けられた噴霧部とを備え、高電圧により帯電させた液滴を前記噴霧部から噴霧するように構成された静電噴霧装置であって、
前記噴霧部は、その前記支持部側に電気絶縁性を有する漏電防止部を備え、
該漏電防止部は、前記支持部の全周に渡る環状凹部を備えた静電噴霧装置。
【請求項６】
前記漏電防止部は、前記環状凹部の奥行きが前記支持部の長さ方向へ延びている請求項５記載の静電噴霧装置。
【請求項７】
前記漏電防止部は、前記環状凹部の開口部が前記支持部の長さ方向へ開口しているとともに、該開口部に対峙して該開口部の開口を狭める鍔部を備えた請求項５又は６記載の静電噴霧装置。
【請求項８】
前記噴霧部は、コネクタを介して前記支持部に着脱可能に接続された請求項５〜７のいずれか一項に記載の静電噴霧装置。
【発明の詳細な説明】
【技術分野】
【０００１】
本発明は、静電気を利用して薬液等の農業用液体の液滴を効率よく農作物に付着させる静電噴霧装置に関するものである。
【背景技術】
【０００２】
従来の静電噴霧装置として、特許文献１に開示された静電式薬液散布装置を例示する。この装置は作業者の背中に背負われる背負動力噴霧機を利用したものであり、図６に示すように、導電性の薬液を帯電させるため電極８２を噴頭８１に備えるとともに、該電極に高電圧を印加するための高電圧発生部８３を備えている。
【０００３】
【特許文献１】実公平６−４１６４１号公報
【発明の開示】
【発明が解決しようとする課題】
【０００４】
ところが、作物に効率よく付着させるため、薬液は浸透性及び展着性を備えるように作成されているので、薬液の噴霧は噴頭８１の電極８２はもちろんながら、送風パイプ８４や薬液用ホース８５の表面にもよく付着し、蓄積される。また、電極８２はプラスに、噴霧はマイナスに誘導帯電するため、マイナス帯電の噴霧はプラスの電極８２に引きつけられて付着し、蓄積される。特に長時間にわたって連続噴霧をしていると、噴頭８１から送風パイプ８４や薬液用ホース８５へと薬液の連続膜が形成されて行く。前述したように薬液は導電性を備えているので、この連続膜を介して電極８２の高電圧が背負動力噴霧機側（作業者側）へ伝わることになる。このため、例えば、この連続膜に作業者の手が触れたり、この連続膜が静電噴霧装置のアースされた部位に達したりすれば漏電が発生し、高電圧発生部８３に過大な電流が流れ、十分な静電効果が得られないという課題がある。
【課題を解決するための手段】
【０００５】
上記課題を解決するために、本発明の静電噴霧装置は、
手持ち支持又は機体支持される基部と、該基部に長さ方向の一端側が支持された支持部と、該支持部の長さ方向の他端側に取り付けられた噴霧部とを備え、高電圧により帯電させた液滴を前記噴霧部から噴霧するように構成された静電噴霧装置であって、
前記支持部は、その長さ方向の途中部に、全周に渡る環状凹部が設けられている。
【０００６】
この構成によれば、前記環状凹部の内側には、前記液滴が入り込み難いので、前記支持部への前記液滴の付着による連続膜を前記環状凹部で途切れさせるようにすることができる。これにより、導電性を有する前記液滴を通じて前記噴霧部の高電位が基部側に伝わることを防止することができる。
【０００７】
前記環状凹部は、その奥行きが前記支持部の長さ方向へ延びている態様を例示する。
【０００８】
この構成によれば、前記支持部の大型化を抑制しつつ、前記環状凹部の奥行きを広く確保することができ、該環状凹部の奥側に前記液滴が、より付着し難くなる。このため、前記支持部への前記液滴の連続膜を前記環状凹部でより確実に途切れさせることができる。
【０００９】
前記環状凹部は、その開口部が前記支持部の長さ方向へ開口しており、
前記支持部は、前記開口部に対峙し、該開口部の開口を狭める鍔部を備えた態様を例示する。
【００１０】
この構成によれば、前記支持部に付着した前記液滴が溜まって流れたときに、前記環状凹部内へ流れ込むことを防止することができ、また、前記環状凹部内へ前記液滴が入り込むことを防止することができる。
【００１１】
前記基部は、手持ち支持されるものであり、
前記支持部は、それを補助的に手持ち支持するための補助グリップ部を備え、該補助グリップ部における前記噴霧部側に前記環状凹部が形成された態様を例示する。
【００１２】
この構成によれば、環状凹部を形成するための部材を補助グリップ部前方に別途取り付ける場合と比較して、（ａ）デザイン的に目立たないようにすることができる、（ｂ）重心が前記補助グリップ部よりも前記噴霧部側に寄らないので、作業者が支持し易くなるという作用効果が得られる。
【００１３】
また、本発明の静電噴霧装置は、
手持ち支持又は機体支持される基部と、該基部に長さ方向の一端側が支持された支持部と、該支持部の長さ方向の他端側に取り付けられた噴霧部とを備え、高電圧により帯電させた液滴を前記噴霧部から噴霧するように構成された静電噴霧装置であって、
前記噴霧部は、その前記支持部側に電気絶縁性を有する漏電防止部を備え、
該漏電防止部は、前記支持部の全周に渡る環状凹部を備えている。
【００１４】
この構成によれば、前記漏電防止部の前記環状凹部の内側には、前記液滴が入り込み難いので、前記支持部への前記液滴の付着による連続膜を前記環状凹部で途切れさせるようにすることができる。これにより、導電性を有する前記液滴を通じて前記噴霧部の高電位が基部側に伝わることを防止することができる。
【００１５】
前記漏電防止部は、前記環状凹部の奥行きが前記支持部の長さ方向へ延びている態様を例示する。
【００１６】
この構成によれば、前記漏電防止部の大型化を抑制しつつ、前記環状凹部の奥行きを広く確保することができ、該環状凹部の奥側に前記液滴が、より付着し難くなる。このため、前記支持部への前記液滴の連続膜を前記環状凹部でより確実に途切れさせることができる。
【００１７】
前記漏電防止部は、前記環状凹部の開口部が前記支持部の長さ方向へ開口しているとともに、該開口部に対峙して該開口部の開口を狭める鍔部を備えた態様を例示する。
【００１８】
この構成によれば、前記噴霧部や前記支持部に付着した前記液滴が溜まって前記漏電防止部側に流れたときに、前記環状凹部内へ流れ込むことを防止することができ、また、前記環状凹部内へ前記液滴が入り込むことを防止することができる。
【００１９】
前記噴霧部は、コネクタを介して前記支持部に着脱可能に接続された態様を例示する。
【００２０】
この構成によれば、前記噴霧部を適宜交換することができるので、前記液滴のもととなる液体の種類や、噴霧対象の植物の種類に応じて最適な態様（前記液滴を噴出する噴霧ノズルの噴霧角度、前記噴霧ノズルのノズル穴のサイズ、前記液滴を帯電させるための電極のサイズ、前記噴霧ノズルと前記電極の間隔、使用形態（噴霧の方向等）に応じた態様の前記漏電防止部等）のものを適宜使用することができる。
【発明の効果】
【００２１】
本発明に係る静電噴霧装置によれば、装置に付着した導電性を有する液滴を通じての作業者への高電位の伝導を防止できるという優れた効果を奏する。
【発明を実施するための最良の形態】
【００２２】
以下、本発明を具体化した第一実施形態の静電噴霧装置について、図１〜図４を参照して説明する。図１は、本発明の静電噴霧装置の全体構成を示しており、この装置は、作物の病気や虫の防除用薬液を収容し供給するための薬液供給部としての収容タンク１と、該収容タンク１から供給される薬液を加圧する薬液圧力発生部としてのポンプ２と、該薬液圧力発生部の吐出口にホース３を介して接続された手持ち式ノズル部９とを備えている。ポンプ２としては、噴霧するための所定の噴霧圧力が得られるものであれば特に限定されないが、エンジンやモータ等の原動機で駆動されるものを例示する。
【００２３】
手持ち式ノズル部９は、手持ち支持される基部としてのグリップ部４と、該グリップ部４に長さ方向の一端側が支持された支持部としての噴管１１と、該噴管１１の長さ方向の他端側にコネクタ１４を介して着脱可能に取り付けられた噴霧部２１とを備えている。
【００２４】
グリップ部４は、その基端側にホース３が接続され、該ホース３からの薬液供給を制御するための薬液供給制御弁５と、直流高電圧を発生させるための高電圧発生装置６と、高電圧発生装置６の駆動源としての蓄電池７と、高電圧発生装置６の動作を制御する感圧センサー８とを備えている。そして、薬液の圧力を検知する感圧センサー８により、薬液供給制御弁５が開かれることによる噴霧出力の有無を検出して高電圧発生装置６を作動させるようにしている。
【００２５】
噴管１１は、噴霧部２１をグリップ部４に対して間隔をおいて支持するためのもので、中空パイプ状に形成された電気絶縁性材料（本例では樹脂製）からなっている。噴管１１の内部には、薬液供給制御弁５から噴霧部２１へ薬液を供給する接続チューブ１２と、高電圧発生装置６から噴霧部２１へ高電圧を送電する高電圧ケーブル１３とが収容されている。この高電圧ケーブル１３は絶縁物で被覆されている。
【００２６】
噴管１１には、それを補助的に手持ち支持するための補助グリップ部１６が長さ方向の途中部（本例ではグリップ部側）に装着されるとともに、該補助グリップ部１６の噴霧部側に鍔部１７が装着されている。補助グリップ部１６及び鍔部１７は、いずれも電気絶縁性材料からなっている。なお、補助グリップ部１６及び鍔部１７を噴管１１の噴霧部側に装着するように構成することもできる。
【００２７】
補助グリップ部１６は、図１及び図２に示すように噴管１１の基端側外周にシールリング１８を介して装着された円環部１６ａと、該円環部１６ａの外周縁部に一体形成されて噴霧部側へ延びる筒部１６ｂとからなっている。このように、噴管１１と補助グリップ部１６との間には、噴管１１外周の全周にわたる環状凹部１９が形成されている。この該環状凹部１９は、その開口部１９ａが噴管１１の長さ方向へ開口するとともに、その奥行きが噴管１１の長さ方向へ延びている。
【００２８】
鍔部１７は、補助グリップ部１６の筒部開口側における噴管１１の外周にシールリング２０を介して装着されており、環状凹部１９の開口部１９ａに対峙し、該開口部１９ａの開口を狭めるようになっている。この鍔部１７により、噴管１１に付着した薬液が溜まって流れたときに、補助グリップ部１６における環状凹部１９内へ流れ込むことを防止することができ、また、補助グリップ部１６における環状凹部１９内へ噴霧が入り込むことを防止することができる。鍔部１７と補助グリップ部１６との間隔は、これが狭いと両者の間で噴霧を通じて高圧リークが発生し易くなるので、噴霧に利用する高電圧の電位に応じて適宜設定することが好ましく、印加電圧約５ｋＶのときに約５ｍｍ以上の間隔（基本的に印加電圧約１ｋＶにつき約１ｍｍ以上の間隔）に設定することを例示する。
【００２９】
補助グリップ部１６及び鍔部１７は、いずれもシールリング１８，２０を介して噴管１１に装着されることにより噴管１１とはシールされているので、該装着部位を薬液が漏れて通過することはない。このシールの目的は、噴管１１に付着した薬液が溜まって流れたときに、補助グリップ部１６やグリップ部４まで流れないようにするためと、補助グリップ部１６における環状凹部１９内へ噴霧が入り込むことを防止するためである。
【００３０】
噴霧部２１は、図３及び図４に示すように、コネクタ１４を介して噴管１１に支持されるユニットベース２２と、該ユニットベース２２に、回動軸２４を介して回動可能に支持された一対のノズルヘッド２３，２３とを備えている。各ノズルヘッド２３は、導電性材料で形成された噴霧ノズル２５と、該噴霧ノズル２５から噴出される液滴Ｄの拡散範囲の外側に近接するように配設された電極としての環状電極２６と、該環状電極２６を噴霧ノズル２５に結合する電気絶縁性を有する電極ホルダ２７と、該電極ホルダ２７及びユニットベース２２の可動部分を覆う、電気絶縁性を有するカバー２８とを備えている。
【００３１】
電極ホルダ２７は、ノズルヘッド先端側の中央に噴霧ノズルを支持するとともに、その反対側がユニットベースに支持されたベース部３５と、該ベース部３５の周縁部から環状電極２６の外周縁部に向けて延びる格子状の支持部３６と、該支持部３６の先端に取り付けられ、環状電極２６を支持するとともに該環状電極２６の反噴霧ノズル２５側を覆う電極カバー部３７とを備えている。
【００３２】
ベース部３５には、噴霧ノズル２５の周囲を囲うように二重の環状突部３５ａ，３５ｂが形成されている。これにより、（１）噴霧ノズル２５と環状電極２６との沿面距離を増大させて表面電気抵抗を増大させたり、（２）噴霧が付着しにくい空隙部３８を環状突部３５ａ，３５ｂの内側に形成させたりすることにより、高圧リークの発生を防止するようにしている。また、内側の環状突部３５ｂは、外側の環状突部３５ａよりもベース部３５からの突出高さが低くなっている。これにより、各環状突部３５ａ，３５ｂの先端から電極としての噴霧ノズル２５までの距離をできるだけ長く確保するようにし、各環状突部３５ａ，３５ｂの先端と噴霧ノズル２５との間における薬液のブリッジの発生を防止することによって、高圧リークの発生を防止するようにしている。
【００３３】
このような構成で噴霧ノズル２５からの噴霧Ｓは誘導帯電されることになる。例えば、環状電極２６に直流正電圧を印加すると、噴霧ノズル２５先端の液滴Ｄはマイナスに誘導帯電される。この帯電した液滴Ｄは、農作物に向けて噴射されると、農作物に効率的に付着するので、帯電していない場合と比較して、全体噴霧量の大幅な削減が可能であり、地球環境に対する影響も少なくなる効果を有する。
【００３４】
以上のように構成された本実施形態の静電噴霧装置によれば、支持部としての噴管１１は、その長さ方向の途中部に、全周に渡る環状凹部１９が設けられており、環状凹部１９の内側には、薬液の噴霧が入り込み難いので、噴管１１への薬液の噴霧付着による連続膜Ｍ（図１参照）を環状凹部１９で途切れさせるようにすることができる。これにより、導電性を有する薬液を通じて噴霧部２１の高電位が補助グリップ部１６やグリップ部４側に伝わることを防止することができる。
【００３５】
また、環状凹部１９は、その奥行きが噴管１１の長さ方向へ延びているので、噴管１１の大型化を抑制しつつ、環状凹部１９の奥行きを広く確保することができ、該環状凹部１９の奥側に薬液の噴霧が、より付着し難くなる。このため、噴管１１への薬液の連続膜Ｍを環状凹部１９でより確実に途切れさせることができる。
【００３６】
また、環状凹部１９は、その開口部１９ａが噴管１１の長さ方向へ開口しており、噴管１１は、開口部１９ａに対峙し、該開口部１９ａの開口を狭める鍔部１７を備えているので、噴管１１に付着した薬液が溜まって流れたときに、環状凹部１９内へ流れ込むことを防止することができ、また、環状凹部１９内へ薬液の噴霧が入り込むことを防止することができる。
【００３７】
さらに、噴管１１は、補助的に手持ち支持するための補助グリップ部１６を備え、該補助グリップ部１６における噴霧部２１側に環状凹部１９が形成されているので、環状凹部１９を形成するための部材を補助グリップ部１６前方に別途取り付ける場合と比較して、（ａ）デザイン的に目立たないようにすることができる、（ｂ）重心が補助グリップ部１６よりも噴霧部側に寄らないので、作業者が支持し易くなるという作用効果が得られる。
【００３８】
次に、図５は本発明を具体化した第二実施形態を示している。この静電噴霧装置は、以下に示す点において、主に第一実施形態と相違している。従って、同実施形態と共通する部分については、同一符号を付することにより重複説明を省く（以下の他の実施形態についても同様。）。
【００３９】
本例では、補助グリップ部１６の噴霧ノズル側端部に、滑り止め用のフランジ部１６ｃを設けている。これにより、作業者の手が補助グリップ部１６からすっぽ抜けて鍔部１７に触れることを防止できる。本例では、フランジ部１６ｃの周縁部に噴霧ノズル側へ延びる環状突部１６ｄを設ることにより、鍔部１７の周囲を覆うようにしており、これにより、作業者が誤って鍔部１７に触れることを、より確実に防止するようにしている。
【００４０】
なお、図５に二点鎖線で示すように、第二の鍔部５１を設けるようにすることもできる。これにより、例えば、噴霧部２１を上にして手持ち式ノズル部９を立て掛けたときに、環状凹部１９内に薬液が流れ込むことを防止することができる。
【００４１】
また、同図に別の二点鎖線で示すように、グリップ部４の環状凹部１９に代えて（又は環状凹部１９とともに）、グリップ部４とは別の部材を噴管１１に取り付けることによって別の環状凹部５２，５３を設けるようにしてもよい。本例では、噴霧ノズル側及びグリップ部側の両方に環状凹部５２，５３を設けているが、いずれか一方のみとすることもできる。
【００４２】
本例の静電噴霧装置によっても、第一実施形態と同様の効果が得られる。
【００４３】
次に、図７〜図９は本発明を具体化した第三実施形態を示している。この静電噴霧装置１００は、以下に示す点において、主に第一実施形態と相違している。
【００４４】
本例の静電噴霧装置１００は、図７に示すように噴霧の液滴を帯電させる静電機能を備えていない噴霧装置１０１に、静電機能付加装置１０２を装着してなっている。噴霧装置１０１は、作物の病気や虫の防除用薬液を収容し供給するための薬液供給部としての収容タンク１と、該収容タンク１から供給される薬液を加圧する薬液圧力発生部としてのポンプ２と、該薬液圧力発生部の吐出口にホース３を介して接続された手持ち式ノズル部１０３とを備えている。
【００４５】
手持ち式ノズル部１０３は、手持ち支持される基部としてのグリップ部１０４と、該グリップ部１０４に長さ方向の一端側が支持された支持部としての噴管１０５と、該噴管１０５の長さ方向の先端に着脱可能に取り付けられた噴霧ノズル２５とを備えている。噴管１０５は、中空パイプ状に形成されており、その内部を通して噴霧ノズル２５に薬液を供給するようになっている。グリップ部１０４は、その基端側にホース３が接続され、該ホース３から噴管１０５への薬液供給を制御するための薬液供給制御弁５を備えている。
【００４６】
静電機能付加装置１０２は、高電圧を供給するための高電圧供給部１０７と、該高電圧により噴霧ノズル２５から噴出される液滴Ｄを帯電させるための静電機能付加ユニット１０８とを備えている。高電圧供給部１０７は、直流高電圧を発生させるための高電圧発生装置６と、高電圧発生装置６の駆動源としての蓄電池７と、高電圧発生装置を作動させるための作動スイッチ１０９とを備えている。
【００４７】
静電機能付加ユニット１０８は、図８及び図９に示すように噴管１０５に装着されて噴霧ノズル２５とともに静電噴霧装置１００の噴霧部１１１を構成するものであり、噴霧ノズル２５から噴出される液滴Ｄの拡散範囲の外側に近接するように配設された電極としての環状電極２６と、該環状電極２６を噴霧ノズル２５に結合する電気絶縁性を有する電極ホルダ１１２と、該電極ホルダ１１２の噴管側に設けられた電気絶縁性を有する漏電防止部１１３とを備えている。環状電極２６には高電圧ケーブル１３を介して高電圧が印加されるようになっており、また、噴霧ノズル２５はアース電位に接続される。
【００４８】
電極ホルダ１１２は、噴管１０５先端側が開口している略カップ状に形成されており、その外周面には周方向及び軸方向に延びる補強リブ１１２ａが一体形成されている。電極ホルダ１１２の底壁部の中央には噴管１０５を配設するための貫通穴１１２ｂと、該噴管１０５の先端に取り付けられた噴霧ノズル２５の周囲を囲うように形成された環状突部３５とが設けられている。電極ホルダ１１２の周壁部には、該電極ホルダ１１２内に溜まった液滴Ｄを電極ホルダ１１２外に排出するための複数の液滴排出穴１１２ｃが設けられている。また、電極ホルダ１１２の周壁部には、その開口部側の内周縁部に環状電極２６が配設されている。
【００４９】
漏電防止部１１３は、電極ホルダ１１２の貫通穴１１２ｂに長さ方向の一端側が嵌入された筒状の取付パイプ部１１４と、該取付パイプ部１１４の長さ方向の他端側の外周に一体形成された円環部１１５と、該円環部１１５の外周縁部に一体形成されて電極ホルダ側へ延びる筒部１１６と、筒部１１６の開口部に対峙して該開口部の開口を狭めるように取付パイプ部１１４に設けられた鍔部１１７を備えている。鍔部１１７は、取付パイプ部１１４の外周全体にわたって径方向へ突出したフランジ状に形成されてなっている。また、取付パイプ部１１４内には噴管１０５が挿入されるようになっている。このように、取付パイプ部１１４と筒部１１６との間には、噴管１０５外周の全周にわたる環状凹部１９が形成されている。この該環状凹部１９は、その開口部１９ａが噴管１０５の長さ方向へ開口するとともに、その奥行きが噴管１０５の長さ方向へ延びている。
【００５０】
このような構成で噴霧ノズル２５からの噴霧Ｓは誘導帯電されることになる。例えば、環状電極２６に直流正電圧を印加すると、噴霧ノズル２５先端の液滴Ｄはマイナスに誘導帯電される。
【００５１】
以上のように構成された本例の静電噴霧装置１００によっても、第一実施形態の静電噴霧装置と同様に、次の効果を得ることができる。
【００５２】
（ａ）漏電防止部１１３の環状凹部１９の内側には、薬液の液滴Ｄが入り込み難いので、噴管１０５や噴霧部１１１への液滴Ｄの付着による連続膜Ｍを環状凹部１９で途切れさせるようにすることができる。これにより、導電性を有する液滴Ｄを通じて噴霧部１１１の高電位がグリップ部１０４側に伝わることを防止することができる。
【００５３】
（ｂ）漏電防止部１１３は、環状凹部１９の奥行きが噴管１０５の長さ方向へ延びているので、漏電防止部１１３の大型化を抑制しつつ、環状凹部１９の奥行きを広く確保することができ、該環状凹部１９の奥側に液滴Ｄが、より付着し難くなる。このため、噴管１０５への液滴Ｄの連続膜Ｍを環状凹部１９でより確実に途切れさせることができる。
【００５４】
（ｃ）漏電防止部１１３は、環状凹部１９の開口部１９ａが噴管１０５の長さ方向へ開口しているとともに、該開口部１９ａに対峙して該開口部１９ａの開口を狭める鍔部１１７を備えているので、例えば電極ホルダ１１２に付着した液滴Ｄが溜まって漏電防止部１１３側に流れたときに、環状凹部１９内へ流れ込むことを防止することができ、また、環状凹部１９内へ空中の液滴Ｄが入り込むことを防止することができる。
【００５５】
次に、図１０は本発明を具体化した第四実施形態を示している。この静電噴霧装置１３０は、以下に示す点において、主に第三実施形態と相違している。
【００５６】
本例の噴霧部１３１は、噴管１３３の途中にコネクタ１３２が介装されており、該コネクタ１３２から噴管先端側が着脱可能になっている。この構成によれば、噴霧部１３１を適宜交換することができるので、液滴Ｄのもととなる液体の種類や、噴霧対象の植物の種類に応じて最適な態様（液滴Ｄを噴出する噴霧ノズル２５の噴霧角度、噴霧ノズル２５のノズル穴のサイズ、液滴Ｄを帯電させるための環状電極２６のサイズ、噴霧ノズル２５と環状電極２６の間隔、使用形態（噴霧の方向等）に応じた態様の漏電防止部１３４等）のものを適宜使用することができる。
【００５７】
また、本例の漏電防止部１３４は、電極ホルダ１１２の底壁部外面の外周縁部に一体形成されて反電極ホルダ側へ延びる筒部１３６と、筒部１３６の開口部に対峙して該開口部の開口を狭める鍔部１３７を備えている。このように、噴管１３３と筒部１３６との間には、噴管１３３外周の全周にわたる環状凹部１９が形成されている。この該環状凹部１９は、その開口部１９ａが噴管１３３の長さ方向へ開口するとともに、その奥行きが噴管１３３の長さ方向へ延びている。
【００５８】
なお、鍔部１３７における筒部１３６の開口部への対峙面には、例えば図１０に二点鎖線で示すように、筒部１３６の内周面に対峙する外周面を有する環状凸部１３８を設けることにより、筒部内側へ液滴Ｄがさらに入りにくくすることもできる。
【００５９】
本例の静電噴霧装置１３０によれば、第三実施形態と同様の効果に加え、上記本例特有の効果を得ることができる。
【００６０】
次に、図１１は本発明を具体化した第五実施形態を示している。この静電噴霧装置１５０は、以下に示す点において、主に第三実施形態及び第四実施形態と相違している。
【００６１】
本例の漏電防止部１５１は、噴管１３３の外周に装着された円環部１５２と、該円環部の外周縁部に一体形成されて噴管１３３の長さ方向の両端側へ延びる筒部１５３と、筒部１５３の反電極ホルダ側開口部１５３ａに対峙して該開口部１５３ａの開口を狭める鍔部１５７を備えている。また、筒部１５３の電極ホルダ側開口部１５３ｂは、該開口部に対峙するように位置している電極ホルダ１１２の底壁部により狭められるようになっている。このように、噴管１３３と筒部１５３との間には、噴管１３３外周の全周にわたる環状凹部１９，１９が形成されている。この該環状凹部１９，１９は、それぞれの開口部１９ａ，１９ａが噴管１３３の長さ方向へ開口するとともに、その奥行きが噴管１３３の長さ方向へ延びている。
【００６２】
本例の静電噴霧装置１５０によっても、第三実施形態及び第四実施形態のものと同様の効果を得ることができる。
【００６３】
なお、本発明は前記実施形態に限定されるものではなく、例えば以下のように、発明の趣旨から逸脱しない範囲で適宜変更して具体化することもできる。
（１）電極ホルダ２７における環状突部３５ａ，３５ｂを省いたり、３重以上の環状突部を設けたりすること。
（２）本発明の静電噴霧装置を液肥の散布に使用すること。
（３）基部が機体支持されるように構成することにより、ノズル部を機体に支持させるように構成すること。
（４）支持部と環状凹部を形成するための部材とを一体形成すること。例えば、噴管１１に補助グリップ部１６を一体形成することが挙げられる。
（５）第三〜五実施形態において、高電圧供給部をグリップ部に内蔵させること。さらに、高電圧供給部の作動スイッチを省き、薬液供給制御弁５の開閉に連動して、自動的に高電圧発生装置を作動させるように構成すること。
【図面の簡単な説明】
【００６４】
【図１】本発明を具体化した第一実施形態に係る静電噴霧装置の全体構成を示す側断面図である。
【図２】同静電噴霧装置の補助グリップ部の一実施例を示す斜視図である。
【図３】同静電噴霧装置の噴霧部の構造を示す断面図である。
【図４】同噴霧部の一実施例を示す斜視図である。
【図５】本発明を具体化した第二実施形態に係る静電噴霧装置の全体構成を示す側断面図である。
【図６】従来の静電噴霧装置の噴頭の断面図である。
【図７】本発明を具体化した第三実施形態に係る静電噴霧装置の全体構成を示す側断面図である。
【図８】同静電噴霧装置の噴霧部を示す断面図である。
【図９】同噴霧部の組立方を示す断面図である。
【図１０】本発明を具体化した第四実施形態に係る静電噴霧装置の噴霧部を示す断面図である。
【図１１】本発明を具体化した第五実施形態に係る静電噴霧装置の噴霧部を示す断面図である。
【符号の説明】
【００６５】
４    グリップ部
６    高電圧発生装置
９    手持ち式ノズル部
１１    噴管
１３    高電圧ケーブル
１６    補助グリップ部
１６ｂ  筒部
１６ａ  円環部
１６ｄ  環状突部
１６ｃ  フランジ部
１７    鍔部
１８    シールリング
１９    環状凹部
１９ａ  開口部
２０    シールリング
２１    噴霧部
２５    噴霧ノズル
２７    電極ホルダ
３５ａ  環状突部
３５ｂ  環状突部
５１    鍔部
５２    環状凹部
５３    環状凹部
１００    静電噴霧装置
１０１    噴霧装置
１０２    静電機能付加装置
１０３    ノズル部
１０５    噴管
１０７    高電圧供給部
１０８    静電機能付加ユニット
１１１    噴霧部
１１３    漏電防止部
１１４    円環部
１１５    筒部
１１６    鍔部
１３０    静電噴霧装置
１３１    噴霧部
１３２    コネクタ
１３３    噴管
１３４    漏電防止部
１３６    筒部
１３７    鍔部
１５０    静電噴霧装置
１５１    漏電防止部
１５３    筒部
１５７    鍔部
Ｄ    液滴
Ｓ    噴霧
Ｍ    薬液の連続膜
【図１】
2005193225.tif 000003
【図２】
2005193225.tif 000004
【図３】
2005193225.tif 000005
【図４】
2005193225.tif 000006
【図５】
2005193225.tif 000007
【図６】
2005193225.tif 000008
【図７】
2005193225.tif 000009
【図８】
2005193225.tif 000010
【図９】
2005193225.tif 000011
【図１０】
2005193225.tif 000012
【図１１】
2005193225.tif 000013